(57)【要約】【課題】防水性を向上させることができる携帯電子機器を提供する。【解決手段】携帯電話機１は、対向面部３ｓに開口部２１ｂが形成された第１筐体３と、対向面部３ｓにおいて第１筐体３外へ露出し、対向面部３ｓに対してスライド可能なスライダ１１と、第１筐体３内に設けられ、開口部２１ｂを介してスライダ１１に操作されるスイッチ３１とを有する。さらに、携帯電話機１は、カバー２５を有している。カバー２５は、遮水性及び弾性を有し、開口部２１ｂに対向するシート部２５ｓと、シート部２５ｓにおいて開口部２１ｂを囲む環状に設けられ、第１筐体３に対して密着されるパッキン部２５ａと、シート部２５ｓにおいてパッキン部２５ａに囲まれる範囲内に設けられ、スライダ１１と固定され、シート部２５ｓの弾性変形を伴いつつスライダ１１とともに移動可能な肉厚部２５ｃとを有している。【選択図】図２
2011049803.tif 000002
【特許請求の範囲】
【請求項１】
所定面部に開口部が形成された筐体と、
前記所定面部において前記筐体外へ露出し、前記所定面部に対してスライド可能な操作部材と、
前記筐体内に設けられ、前記開口部を介して前記操作部材に操作されるスイッチと、
遮水性及び弾性を有し、前記開口部に対向するシート部と、前記シート部において前記開口部を囲む形状に形成され、前記筐体に対して密着される密着部と、前記シート部において前記密着部に囲まれる範囲内に設けられ、前記操作部材と固定され、前記シート部の弾性変形を伴いつつ前記操作部材とともに移動可能な可動部とを有するカバーと、
を有する携帯電子機器。
【請求項２】
前記シート部は、前記操作部材のスライド方向に進行する波状の波状部を有している
請求項１に記載の携帯電子機器。
【請求項３】
前記波状部は、前記シート部の平面視において、波の頂及び谷の線が前記可動部側を凹とする弧状に形成されている
請求項２に記載の携帯電子機器。
【請求項４】
前記カバーは、前記操作部材が前記スライド方向の一方側に移動したときに、前記シート部の前記可動部よりも前記スライド方向の他方側の部分が引張変形を生じる位置に設けられ、
前記操作部材は、前記筐体の内部側に突出するノブを有し、
前記可動部には、前記ノブが圧入される圧入孔が形成され、
前記波状部は、前記他方側の部分に設けられている
請求項２又は３に記載の携帯電子機器。
【請求項５】
前記ノブ及び前記圧入孔は、前記所定面部の平面視において真円に形成されている
請求項４に記載の携帯電子機器。
【請求項６】
前記カバーは、前記操作部材が前記スライド方向の一方側に移動したときに、前記シート部の前記可動部よりも前記スライド方向の前記一方側の部分が圧縮変形を生じる位置に設けられ、
前記波状部は、前記一方側の部分に設けられている
請求項２〜５のいずれか１項に記載の携帯電子機器。
【請求項７】
開口部が形成された所定面部の外側へ露出し、前記所定面部に対してスライド可能な操作部材と、
前記所定面部の内側に設けられ、前記開口部を介して前記操作部材に操作されるスイッチと、
遮水性及び弾性を有し、前記開口部に対向するシート部と、前記シート部において前記開口部を囲む形状に形成され、前記所定面部に対して密着される密着部と、前記シート部において前記密着部に囲まれる範囲内に設けられ、前記操作部材と固定され、前記シート部の前記密着部に囲まれる範囲の弾性変形を伴いつつ前記操作部材とともに移動可能な可動部とを有するカバーと、
を有するスイッチ構造。
【発明の詳細な説明】
【技術分野】
【０００１】
本発明は、携帯電話機、ＰＤＡ、ゲーム機等の携帯電子機器、及び、携帯電子機器等に適用可能なスイッチ構造に関する。
【背景技術】
【０００２】
スライド式のスイッチ構造を有する携帯電子機器が知られている（例えば特許文献１）。このような携帯電子機器は、筐体外に露出し、筐体の表面に沿ってスライドされる操作部材（スライダ）と、当該操作部材がスライドされることによって操作されるスイッチとを有している。
【先行技術文献】
【特許文献】
【０００３】
【特許文献１】特開２００１−１５６９１０号公報
【発明の概要】
【発明が解決しようとする課題】
【０００４】
操作部材は筐体外に露出し、スイッチは筐体内に配置されるから、筐体には、操作部材とスイッチとを直接又は間接的に連結するために、開口部が形成される。当該開口部からは水分が侵入するおそれがある。しかし、特許文献１では、当該開口部における防水性については言及されていない。
【０００５】
本発明の目的は、防水性を向上させることができる携帯電子機器及びスイッチ構造を提供することにある。
【課題を解決するための手段】
【０００６】
本発明の携帯電子機器は、所定面部に開口部が形成された筐体と、前記所定面部において前記筐体外へ露出し、前記所定面部に対してスライド可能な操作部材と、前記筐体内に設けられ、前記開口部を介して前記操作部材に操作されるスイッチと、遮水性及び弾性を有し、前記開口部に対向するシート部と、前記シート部において前記開口部を囲む形状に形成され、前記筐体に対して密着される密着部と、前記シート部において前記密着部に囲まれる範囲内に設けられ、前記操作部材と固定され、前記シート部の弾性変形を伴いつつ前記操作部材とともに移動可能な可動部とを有するカバーと、を有する。
【０００７】
好適には、前記シート部は、前記操作部材のスライド方向に進行する波状の波状部を有している。
【０００８】
好適には、前記波状部は、前記シート部の平面視において、波の頂及び谷の線が前記可動部側を凹とする弧状に形成されている。
【０００９】
好適には、前記カバーは、前記操作部材が前記スライド方向の一方側に移動したときに、前記シート部の前記可動部よりも前記スライド方向の他方側の部分が引張変形を生じる位置に設けられ、前記操作部材は、前記筐体の内部側に突出するノブを有し、前記可動部には、前記ノブが圧入される圧入孔が形成され、前記波状部は、前記他方側の部分に設けられている。
【００１０】
好適には、前記ノブ及び前記圧入孔は、前記所定面部の平面視において真円に形成されている。
【００１１】
好適には、前記カバーは、前記操作部材が前記スライド方向の一方側に移動したときに、前記シート部の前記可動部よりも前記スライド方向の前記一方側の部分が圧縮変形を生じる位置に設けられ、前記波状部は、前記一方側の部分に設けられている。
【００１２】
本発明のスイッチ構造は、開口部が形成された所定面部の外側へ露出し、前記所定面部に対してスライド可能な操作部材と、前記所定面部の内側に設けられ、前記開口部を介して前記操作部材に操作されるスイッチと、遮水性及び弾性を有し、前記開口部に対向するシート部と、前記シート部において前記開口部を囲む形状に形成され、前記所定面部に対して密着される密着部と、前記シート部において前記密着部に囲まれる範囲内に設けられ、前記操作部材と固定され、前記シート部の前記密着部に囲まれる範囲の弾性変形を伴いつつ前記操作部材とともに移動可能な可動部とを有するカバーと、を有する。
【発明の効果】
【００１３】
本発明によれば、防水性を向上できる。
【図面の簡単な説明】
【００１４】
【図１】本発明の実施形態に係る携帯電話機の外観斜視図。
【図２】図１の携帯電話機の一部の拡大斜視図及び分解斜視図。
【図３】図２（ａ）のＩＩＩａ−ＩＩＩａ線における断面図及びＩＩＩｂ−ＩＩＩｂ線における断面図。
【図４】本発明の第１変形例に係るカバーを示す斜視図。
【図５】本発明の第２変形例に係るカバーを示す斜視図。
【図６】本発明の第３変形例に係るカバーを示す斜視図。
【図７】本発明の第４変形例に係るカバーを示す斜視図。
【発明を実施するための形態】
【００１５】
図１は、本発明の実施形態に係る携帯電話機１の外観を開状態で示す斜視図である。
【００１６】
携帯電話機１は、いわゆる折り畳み式の携帯電話機として構成されており、開状態と閉状態との間で互いに回動可能に連結された第１筐体３及び第２筐体５を備えている。第１筐体３及び第２筐体５は、例えば、それぞれ概ね薄型直方体状に形成されており、閉状態では互いに重ねあわされて互いの輪郭が略一致する。
【００１７】
第１筐体３は、例えば、閉状態において第２筐体５に対向する対向面部３ｓを構成するフロントケース２１と、その背面側を構成するリアケース２３とを有している。フロントケース２１及びリアケース２３は、例えば、樹脂により構成されており、ネジにより互いに固定されている。なお、第２筐体５も同様に構成されている。
【００１８】
第１筐体３には、特に図示しないが、例えば、通話用のマイクロフォン、通信のための内蔵アンテナ、報知用のスピーカ、カメラ、ユーザの操作を受け付ける操作部７が設けられている。第２筐体５には、特に図示しないが、例えば、通話用のスピーカ、表示部９が設けられている。
【００１９】
操作部７は、対向面部３ｓにおいて第１筐体３外部に露出する複数の操作部材を有している。複数の操作部材は、例えば、携帯電話機１の電源のＯＮ及びＯＦＦを行うためのスライダ１１、数字や文字等の入力を受け付けるための複数のダイヤルキー１３、表示部９と協働して種々の選択を可能とするためのカーソルキー１５及び決定キー１７、並びに、メール等の種々のファンクションを開始するための複数のファンクションキー１９である。
【００２０】
スライダ１１は、図１の紙面左右方向（スライド方向）にスライドされることにより操作される。例えば、スライダ１１が、スライド方向の一方側にスライドされることにより、携帯電話機１は電源がＯＮされる。また、スライダ１１が、スライド方向の他方側にスライドされることにより、携帯電話機１は電源がＯＦＦされる。なお、スライダ１１以外の操作部材（キートップ；１３〜１９）は、例えば、押圧することにより操作される。
【００２１】
図２（ａ）は、携帯電話機１のスライダ１１周辺を拡大して示す斜視図である。また、図２（ｂ）は、携帯電話機１のスライダ１１周辺の分解斜視図である。
【００２２】
スライダ１１周辺においては、第１筐体３の外側から、スライダ１１、フロントケース２１、防水のためのカバー２５、スライダ１１とともにスライドされる内部部材２７、クリック感を生じさせるためのプレート２９、スライダ１１のスライドによってＯＮ及びＯＦＦされるスイッチ３１、及び、スイッチ３１が実装される回路基板３３が積層的に配置されている。なお、以下では、スライダ１１やスイッチ３１を含む構造をスイッチ構造３５ということがある。
【００２３】
スライダ１１は、例えば、樹脂により形成されている。スライダ１１は、例えば、板状部１１ａと、板状部１１ａから第１筐体３の外側に突出する係止部１１ｂとを有している。板状部１１ａ及び係止部１１ｂは、対向面部３ｓにおいて第１筐体３の外部に露出する部分である。係止部１１ｂは、スライド方向に直交する方向に延びる突条に形成されており、ユーザによるスライド操作を容易化している。
【００２４】
フロントケース２１は、板状部１１ａを収容可能な凹部２１ａと、凹部２１ａの底部に形成された開口部２１ｂとを有している。
【００２５】
開口部２１ｂは、スライダ１１の運動（スライド）を第１筐体３の内部に伝達可能とするためのものである。開口部２１ｂは、板状部１１ａよりも小さく形成されている。従って、板状部１１ａは、フロントケース２１の表面（凹部２１ａの底面）により支持される。
【００２６】
凹部２１ａは、板状部１１ａを収容することにより、板状部１１ａの対向面部３ｓからの突出量を調整可能である。凹部２１ａは、例えば、スライダ１１の板状部１１ａの厚さと概ね同等の深さを有している。また、凹部２１ａは、板状部１１ａの移動を規定可能である。すなわち、板状部１１ａは、スライド方向に直交する方向において凹部２１ａに嵌合し、凹部２１ａのスライド方向に平行な内壁面によりスライド方向に案内される。また、その移動量は、スライド方向における板状部１１ａの大きさと凹部２１ａの大きさとの差により規定される。
【００２７】
カバー２５は、防水性及び弾性を有する材料（例えばゴム）により形成されている。カバー２５は、開口部２１ｂからの水分の侵入を防止するためのものであり、開口部２１ｂよりも広く形成されている。より具体的には、カバー２５は、例えば、凹部２１ａよりも大きい長円形に形成されている。カバー２５の中央には、スライダ１１の運動（スライド）をカバー２５よりも第１筐体３の内部側に伝達可能とするために、スライダ１１の一部（後述する）が圧入される圧入孔２５ｂが設けられている。
【００２８】
内部部材２７は、例えば、樹脂により形成されている。内部部材２７は、圧入孔２５ｂを介してスライダ１１と固定される。これにより、内部部材２７は、スライダ１１とカバー２５との離脱を抑制する。
【００２９】
プレート２９は、例えば、樹脂により形成されている。プレート２９は、枠部２９ａと、枠部２９ａ内においてスライド方向に延びる２本の梁部２９ｂとを有している。２本の梁部２９ｂには、スライド方向の中央付近に、２本の梁部２９ｂの対向方向に突出する突部２９ｃが形成されている。
【００３０】
２本の梁部２９ｂの間であって、スライド方向の一方側又は他方側には、内部部材２７のうち、プレート２９側に突出する第１延出部２７ｂが嵌合する。突部２９ｃは、第１延出部２７ｂに係合して、第１延出部２７ｂのスライド方向への移動を抑制する。これにより、スライダ１１は、スライド方向の一方側又は他方側に位置保持される。ユーザによってスライダ１１をスライドさせる力がスライダ１１に加えられると、第１延出部２７ｂは、２本の梁部２９ｂを外側に弾性変形させつつ、突部２９ｃを通過する。これにより、クリック感が生じる。
【００３１】
スイッチ３１は、例えば、押圧式の小型スイッチにより構成されている。スイッチ３１は、例えば、薄型に形成された本体部３１ａと、本体部３１ａから突出する被操作部３１ｂとを有しており、被操作部３１ｂが押圧されることによりＯＮされ、押圧が解除されることによりＯＦＦされる。
【００３２】
スイッチ３１は、例えば、押圧方向をスライド方向に向けて、プレート２９に設けられた切り欠き部２９ｄに嵌合して配置される。一方、内部部材２７は、第１筐体３の内部側に突出する第２延出部２７ｃ（図３（ａ）及び図３（ｂ）参照）を有している。そして、内部部材２７がスライド方向に移動することにより、第２延出部２７ｃが被操作部３１ｂの押圧又はその解除を行い、スイッチ３１はＯＮ又はＯＦＦされる。
【００３３】
回路基板３３は、フレキシブルプリント配線板（ＦＰＣ）により構成されている。回路基板３３は可撓性を有するが、不図示のシールドケース等に載置されることにより、スイッチ３１やプレート２９等を支持可能となっている。なお、回路基板３３は、硬質の樹脂をベースとしたリジッド式のプリント配線板により構成されていてもよい。
【００３４】
図３（ａ）は、図２（ａ）のＩＩＩａ−ＩＩＩａ線における断面図である。図３（ｂ）は、図２（ａ）のＩＩＩｂ−ＩＩＩｂ線における断面図である。
【００３５】
スライダ１１は、板状部１１ａから第１筐体３の内部側に突出する、ガイド部１１ｃ（図３（ａ））、ストッパ部１１ｄ（図３（ｂ））、及び、ノブ１１ｅを有している。
【００３６】
ガイド部１１ｃは、板状部１１ａの内側面において、スライド方向の側方両側に設けられ、スライド方向に延びる突条に形成されている（図２（ｂ）も参照）。２本のガイド部１１ｃは、スライド方向に直交する方向において開口部２１ｂに嵌合し、また、スライド方向において開口部２１ｂよりも小さく形成されている。従って、２本のガイド部１１ｃは、開口部２１ｂの内周面に摺動することにより、スライダ１１をスライド方向に案内可能である。
【００３７】
ストッパ部１１ｄは、板状部１１ａの内側面において、スライド方向の両側に設けられている。２つのストッパ部１１ｄの間隔は、開口部２１ｂのスライド方向における大きさよりも小さく形成されている。２つのストッパ部１１ｄは、スライド方向において開口部２１ｂの内周面に対して当接することにより、スライダ１１の移動量を規定可能である。
【００３８】
ノブ１１ｅは、上述した圧入孔２５ｂに圧入され、内部部材２７と固定される部分である。ノブ１１ｅは、例えば、スライド方向に長い長円形に形成されている。
【００３９】
カバー２５は、シート部２５ｓと、シート部２５ｓの外周縁に形成され、フロントケース２１の内側面に向かって突出するパッキン部２５ａ（図２（ｂ）も参照）とを有している。パッキン部２５ａは、フロントケース２１の内側面に形成された溝部２１ｃに圧入されている。これにより、開口部２１ｂから侵入した水分がシート部２５ｓの外周から第１筐体３の内部側へ侵入することが抑制される。
【００４０】
パッキン部２５ａ及び溝部２１ｃは、開口部２１ｂを囲む形状に形成されており、好ましくは、凹部２１ａを囲む環状に設けられている。環の形状は、矩形等の適宜な形状とされてよい。本実施形態では、環の形状が長円形である場合を例示している。溝部２１ｃ及びパッキン部２５ａの幅は、防水性と取り付け性とを考慮して適宜に設定される。溝部２１ｃの深さは、パッキン部２５ａの高さよりも、大きくてもよいし、同一でもよいし、小さくてもよい。パッキン部２５ａと溝部２１ｃとは、接着剤により互いに固定されてもよい。
【００４１】
パッキン部２５ａの筐体内部側においては、回路基板３３に載置されたプレート２９の枠部２９ａが位置しており、パッキン部２５ａの溝部２１ｃからの抜けを抑制している。すなわち、溝部２１ｃの開口面と枠部２９ａとの距離は、パッキン部２５ａの高さよりも小さく設定されている。
【００４２】
シート部２５ｓの中央には、上述の圧入孔２５ｂが形成されている。圧入孔２５ｂは、例えば、貫通方向に見て、ノブ１１ｅと相似形（本実施形態では長円形）に形成され、また、ノブ１１ｅよりも若干小さく形成されている。ノブ１１ｅが圧入孔２５ｂに圧入され、ノブ１１ｅと圧入孔２５ｂの内周面とが密着することにより、開口部２１ｂから侵入した水分が、ノブ１１ｅと圧入孔２５ｂとの隙間から侵入することが抑制される。
【００４３】
圧入孔２５ｂの周囲には、肉厚部２５ｃ（図２（ｂ）も参照）が形成されている。換言すれば、圧入孔２５ｂは、肉厚部２５ｃに形成されている。肉厚部２５ｃが形成されることにより、圧入孔２５ｂの、貫通方向における沿面距離が長くなり、ノブ１１ｅとカバー２５との密着性が向上する。また、肉厚部２５ｃは、図３（ａ）に示すように、ノブ１１ｅとガイド部１１ｃとの間に圧入されている。
【００４４】
内部部材２７は、例えば、内部部材２７に形成された孔部にノブ１１ｅが挿入されることにより、ノブ１１ｅと固定されるとともに、ノブ１１ｅの圧入孔２５ｂからの抜けを抑制する。内部部材２７とノブ１１ｅとは接着剤により固定されてもよい。また、内部部材２７は、カバー２５を板状部１１ａ又はガイド部１１ｃと挟持し、防水に寄与してもよい。
【００４５】
以上の構成を有する携帯電話機１のスイッチ構造３５の動作を説明する。
【００４６】
スライダ１１は、上述のように、板状部１１ａ及び凹部２１ａに規定される範囲、及び／又は、ストッパ部１１ｄ及び開口部２１ｂにより規定される範囲においてスライド可能である。また、スライダ１１は、上述のように、プレート２９の突部２９ｃによって、スライド方向の一方側の位置又は他方側の位置（ＯＮ位置又はＯＦＦ位置）のいずれかに保持される。
【００４７】
カバー２５は、ノブ１１ｅがＯＮ位置とＯＦＦ位置との中間に位置するときに、ノブ１１ｅによりスライド方向の荷重が加えられないように（カバー２５が非荷重のときに肉厚部２５ｃがＯＮ位置とＯＦＦ位置との中間に位置するように）取付位置が設定されている。従って、図３（ｂ）に示すように、スライダ１１がスライド方向の一方側（図３（ｂ）の紙面左側）へ移動すると、シート部２５ｓのうち、圧入孔２５ｂに対してスライド方向の他方側（図３（ｂ）の紙面右側）となる部分は、引張変形を含む弾性変形を生じる。また、シート部２５ｓのうち、圧入孔２５ｂに対してスライド方向の一方側（図３（ｂ）の紙面左側）となる部分は、圧縮変形を含む弾性変形を生じる。スライダ１１がスライド方向の他方側に移動するときも同様である。
【００４８】
以上の実施形態によれば、携帯電話機１は、対向面部３ｓに開口部２１ｂが形成された第１筐体３と、対向面部３ｓにおいて第１筐体３外へ露出し、対向面部３ｓに対してスライド可能なスライダ１１と、第１筐体３内に設けられ、開口部２１ｂを介してスライダ１１に操作されるスイッチ３１とを有する。さらに、携帯電話機１は、カバー２５を有している。カバー２５は、遮水性及び弾性を有し、開口部２１ｂに対向するシート部２５ｓと、シート部２５ｓにおいて開口部２１ｂを囲む形状に形成され、第１筐体３に対して密着されるパッキン部２５ａと、シート部２５ｓにおいてパッキン部２５ａに囲まれる範囲内に設けられ、スライダ１１と固定され、シート部２５ｓの弾性変形を伴いつつスライダ１１とともに移動可能な肉厚部２５ｃとを有している。
【００４９】
従って、開口部２１ｂがカバー２５に塞がれ、防水性が向上する。カバー２５においては、肉厚部２５ｃがシート部２５ｓの弾性変形を伴いつつスライダ１１とともに移動可能であることから、密閉性を保ちつつ、スライダ１１のスライドを許容できる。例えば、実施形態のように、スライダ１１の一部（ノブ１１ｅ）を圧入孔２５ｂに圧入し、スライダ１１の運動をカバー２５の内側に伝達する場合には、シート部２５ｓの弾性変形によって肉厚部２５ｃをノブ１１ｅに追従させ、ノブ１１ｅと肉厚部２５ｃとの間に隙間が生じることを抑制できる。また、例えば、圧入孔２５ｂを設けずに、スライダ１１と肉厚部２５ｃとを適宜な方法（例えば凹部や接着剤）により固定し、肉厚部２５ｃと内部部材２７とを適宜な方法により固定することにより、密閉性を保ちつつ、スライダ１１のスライドを許容することもできる。
【００５０】
なお、以上の実施形態において、携帯電話機１は本発明の携帯電子機器の一例であり、対向面部３ｓは本発明の所定面部の一例であり、スライダ１１は本発明の操作部材の一例であり、パッキン部２５ａは本発明の密着部の一例であり、肉厚部２５ｃは本発明の可動部の一例である。
【００５１】
（第１の変形例）
図４は、第１の変形例に係るカバー１２５を示す斜視図である。
【００５２】
カバー１２５のシート部１２５ｓは、圧入孔２５ｂの配置範囲を含む大部分において、スライド方向に進行する波状の波状部１２５ｘが形成されている。換言すれば、シート部１２５ｓは、スライド方向に直交する方向に延びる線を折り目として、一方の面側と他方の面側とに交互に折り曲げられた形状（蛇腹状）に形成されている。なお、図４においては、フロントケース２１の内側面に対向する側のみを示しているが、その反対側においても、図４における凸が凹に、図４における凹が凸となって、波状部１２５ｘが視認される。
【００５３】
以上の第１の変形例によれば、実施形態と同様の効果が奏される。さらに、シート部１２５ｓは、スライダ１１のスライド方向に進行する波状の波状部１２５ｘを有していることから、シート部１２５ｓのスライド方向におけるフレキシビリティが向上する。その結果、以下に詳述するように、密閉性や操作性の向上等が図られる。
【００５４】
カバー１２５は、実施形態と同様に、スライダ１１がスライド方向の一方側に移動したときに、シート部１２５ｓの、肉厚部２５ｃよりもスライド方向の他方側の部分が引張変形を生じる位置に設けられる。スライダ１１は、第１筐体３の内部側に突出するノブ１１ｅを有し、肉厚部２５ｃには、ノブ１１ｅが圧入される圧入孔２５ｂが形成されている。そして、波状部１２５ｘは、上記他方側（引張変形が生じる側）の部分に設けられている。
【００５５】
従って、ノブ１１ｅはカバー２５を貫通することになり、圧入孔２５ｂが設けられない態様（この態様も本発明に含まれる）に比較して、スライダ１１のカバー２５に対する固定を容易化したり、スライダ１１とスイッチ３１とを連結させる構造を簡素化させたりすることができる。また、波状部１２５ｘにより、肉厚部２５ｃの、スライダ１１の移動方向の反対側（引張変形が生じる側）の部分の、ノブ１１ｅに対する追従性が向上する。換言すれば、圧入孔２５ｂがスライド方向に拡張されることが抑制される。従って、ノブ１１ｅ及び圧入孔２５ｂにおける密閉性が向上する。
【００５６】
また、カバー１２５は、実施形態と同様に、スライダ１１がスライド方向の一方側に移動したときに、シート部１２５ｓの、肉厚部２５ｃよりもスライド方向の上記一方側の部分が圧縮変形を生じる位置に設けられる。そして、波状部１２５ｘは、上記一方側（圧縮変形が生じる側）の部分に設けられている。従って、スライダ１１のスライダに対する抵抗力が低減され、操作性が向上する。
【００５７】
なお、波状部１２５ｘの波数、ピッチ及び波高は、適宜に設定されてよい。なお、波状部１２５ｘは、基本的には、波数が多いほど、ピッチが小さいほど、また、波高が大きいほど、フレキシビリティが高くなる。ただし、シート部１２５ｓは、ある程度の厚みを確保する必要があり、ピッチを小さくすることには限界がある。波数及びピッチの一例を示すと、シート部１２５ｓのスライド方向の大きさが１５ｍｍ程度、スライダ１１の移動量が２ｍｍ程度、圧入孔２５ｂのスライド方向の大きさが４ｍｍ程度（スライド方向に直交する方向の大きさは１ｍｍ程度）のカバー１２５において、波数は１２個、ピッチは１ｍｍ程度である。
【００５８】
（第２の変形例）
図５は、第２の変形例に係るカバー２２５を示す斜視図である。
【００５９】
カバー２２５は、第１の変形例に係るカバー１２５と同様に、シート部２２５ｓにおいて、スライド方向に進行する波状の第１波状部２２５ｘを有している。ただし、平面視において、第１の変形例の波状部１２５ｘは、波の頂及び谷の線がスライド方向に直交する直線であったのに対し、第２の変形例の第１波状部２２５ｘは、波の頂及び谷の線が肉厚部２５ｃ側を凹とする弧状に形成されている。
【００６０】
第１波状部２２５ｘは、第１の変形例の波状部１２５ｘと同様に、肉厚部２５ｃよりもスライド方向の一方側及び他方側（引張変形が生じる側及び圧縮変形が生じる側）に設けられている。
【００６１】
また、カバー２２５は、肉厚部２５ｃに対して、スライド方向の側方となる位置に、スライド方向に直交する方向に進行する波状の第２波状部２２５ｙを有している。第２波状部２２５ｙは、例えば、波の頂及び谷の線がスライド方向に平行な直線状に形成されている。
【００６２】
以上の第２の変形例によれば、実施形態及び第１の変形例と同様の効果が得られる。さらに、平面視において波の頂及び谷の線が肉厚部２５ｃ側を凹とする弧状に形成されていることから、シート部２２５ｓの引張変形が生じる部分におけるノブ１１ｅに対する追従性の向上や、シート部２２５ｓの圧縮変形が生じる部分における抵抗力の低減が好適に図られる。
【００６３】
すなわち、スライダ１１をスライドさせたときにシート部２２５ｓに生じる応力は、肉厚部２５ｃを中心として放射状に分散される。換言すれば、応力の等圧線は、肉厚部２５ｃ側を凹とする弧状となる。そして、第１波状部２２５ｘの波の頂及び谷の線の形状が、その等圧線の形状に近づくことにより、第１波状部２２５ｘの変形による応力の吸収を効果的に行うことができる。
【００６４】
（第３の変形例）
図６は、第３の変形例に係るカバー３２５を示す斜視図である。
【００６５】
カバー３２５は、シート部３２５ｓにおいて、第２の変形例に係る第１波状部２２５ｘと概ね同様の第１波状部３２５ｘを有している。ただし、第２の変形例においては、第２波状部２２５ｙ（すなわち、肉厚部２５ｃに対して、スライド方向の側方となる位置に設けられる波状部）は、スライド方向に直交する方向に進行する波状であったのに対し、第３の変形例においては、第２波状部３２５ｙは、スライド方向に進行する波状に形成されている。第２波状部３２５ｙは、例えば、波の頂及び谷の線がスライド方向に直交する直線状に形成されている。
【００６６】
以上の第３の変形例によれば、実施形態及び第１及び第２の変形例と同様の効果が得られる。
【００６７】
（第４の変形例）
図７は、第４の変形例に係るカバー４２５を示す斜視図である。
【００６８】
実施形態では、圧入孔２５ｂ及び肉厚部２５ｃ、並びに、ノブ１１ｅは、対向面部３ｓの平面視においてスライド方向に長い長円形に形成された。これに対して、第４の変形例では、圧入孔４２５ｂ及び肉厚部４２５ｃ、並びに、不図示のノブは、対向面部３ｓの平面視において真円に形成される。
【００６９】
実施形態のノブ１１ｅ等の形状は、ノブ１１ｅのスライド方向の強度を確保しやすいというメリットがある。第４の変形例においては、ノブによりカバー４２５に加えられる力を好適に分散させやすいというメリットがある。従って、スライダ１１の材料の強度等を考慮して、適宜に第４の変形例又は実施形態のノブ等の形状が採用されてよい。
【００７０】
本発明は、以上の実施形態に限定されず、種々の態様で実施されてよい。
【００７１】
携帯電子機器は、携帯電話機に限定されない。例えば、携帯電子機器は、ＰＤＡ、デジタルカメラ、ゲーム機であってもよい。また、スイッチ構造は、携帯電子機器に含まれるものに限定されない。大型の電子機器や構造物に設けられるものであってもよい。
【００７２】
スイッチ構造は、電源のＯＮ、ＯＦＦを行うものに限定されない。例えば、スイッチ構造は、電子機器の動作モードや表示装置の表示を切り換えるものであってもよい。
【００７３】
実施形態では、操作部材（１１）がユーザによってスライド方向の一方側及び他方側の双方に操作され、また、操作部材がスライド方向の両側に選択的に位置保持されるスイッチ構造を例示した。しかし、スイッチ構造に対する操作は、この態様に限定されない。例えば、スイッチ構造は、ユーザによってスライド方向の一方側へのみ操作部材が操作され、バネ等の付勢部材により操作部材が他方側へ自動復帰する（操作部材がスライド方向の他方側に位置保持される）ものであってもよい。また、例えば、スイッチ構造は、付勢部材により操作部材がスライド範囲の中央に自動復帰（位置保持）され、ユーザによってスライド方向の両側に選択的に操作されるものであってもよい。
【００７４】
実施形態では、操作部材が一方側にスライドされたときにスイッチがＯＮされ、他方側にスライドされたときにスイッチがＯＦＦされる態様を例示した。しかし、スイッチのＯＮ、ＯＦＦは、スライド操作に対して適宜に割り振られてよい。例えば、上述のように、操作部材が、スライド方向の一方側に操作され、他方側に自動復帰するスイッチ構造において、スライド方向の一方側にスライド操作が行われるたびに、スイッチのＯＮ、ＯＦＦが交互に行われてもよい。また、例えば、上述のように、操作部材がスライド範囲の中央に自動復帰されるスイッチ構造において、スライド方向の一方側にスライド操作がなされると一のスイッチがＯＮされ、他方側にスライド操作がなされると他のスイッチがＯＮされてもよい。
【００７５】
実施形態では、カバーは、操作部材がスライド方向の一方側及び他方側のいずれにスライドされたときにも、引張変形及び圧縮変形を生じた。換言すれば、カバーは、操作部材がスライド範囲の中間に位置するときに非荷重となるように設けられた。しかし、カバーの変形は、操作部材のスライドに対して適宜に生じてよい。例えば、上述のように、操作部材が、スライド方向の一方側に操作され、他方側に自動復帰するスイッチ構造において、カバーは、操作部材が自動復帰した状態において非荷重となるように設けられてもよい。この場合、操作部材がスライド方向の一方側にスライドされるときは、引張変形及び圧縮変形が生じるが、操作部材がスライド方向の他方側にスライド（自動復帰）されるときは、引張変形及び圧縮変形が解消される。
【００７６】
操作部材は、他の部材（２７）を介して間接的にスイッチを操作するものに限定されない。例えば、操作部材は、スイッチに当接して、直接的にスイッチを操作するものであってもよい。また、操作部材は、操作部材自体に、スイッチを構成する可動接点が取り付けられるものであってもよい。なお、スライダ１１は操作部材の一例であるが、実施形態のスライダ１１及び内部部材２７の組み合わせを操作部材と捉えることも可能である。
【００７７】
操作部材は、カバーと別部材として構成されなくてもよい。例えば、カバーのシート部に、筐体の外側へ突出する突部が形成されることにより、操作部材が構成されてもよい。
【００７８】
カバーは、密着部が筐体の内側から筐体（の内側面）に密着するものに限定されず、密着部が筐体の外側から筐体（の外側面）に密着するものであってもよい。また、密着部は、実施形態のように溝部に圧入されるものに限定されない。例えば、シート部は、外縁まで平坦に形成され（パッキン部が形成されず）、そのシート部の外縁部分（密着部）が、筐体の内側面と、筐体内に配置される適宜な部材とに挟持されてもよい。カバーは、他の部材（例えば、ダイヤルキー１３とダイヤルキー１３に押圧される不図示の押圧式スイッチとの間に介在するキーシート）の一部であってもよい。
【００７９】
スイッチは、押圧式のものに限定されず、例えば、スライド式のものであってもよい。また、スイッチは、可動接点と固定接点とが当接及び離間する接触式のものであってもよいし、光電素子や静電容量素子を用いた非接触式のものであってもよい。
【符号の説明】
【００８０】
１…携帯電話機、３…第１筐体、３ｓ…対向面部（所定面部）、１１…スライダ（操作部材）、２１ｂ…開口部、２５…カバー、２５ａ…シート部、２５ｂ…パッキン部（密着部）、２５ｃ…肉厚部（可動部）、３１…スイッチ。
【図１】
2011049803.tif 000003
【図２】
2011049803.tif 000004
【図３】
2011049803.tif 000005
【図４】
2011049803.tif 000006
【図５】
2011049803.tif 000007
【図６】
2011049803.tif 000008
【図７】
2011049803.tif 000009